(57)【要約】【課題】３番ロスを防止することができて、かつ藁屑を良好に機外に排出することのできる脱穀装置を実現する。【解決手段】脱穀装置の唐箕１０により処理物の搬送下手側の排塵口２７に向って選別風を供給するとともに、排塵口２７を遮蔽可能で且つ処理物の搬送下手側に変位可能な遮蔽部材２０を備え、遮蔽部材２０は上部が支持部材２２に吊設されているとともに、その下方部分が幅方向でそれぞれ独立して揺動できる複数の板状部２１ａで形成し、以って、遮蔽部材２０で籾の飛び跳ねによる３番ロスを防止するとともに、隣接する板状部２１ａ間の隙間から藁屑を放出しやすくした。【選択図】図５
2010045982.tif 000002
【特許請求の範囲】
【請求項１】
扱室の下方に揺動選別装置を備え、前記揺動選別装置の処理物の搬送上手側の下方に唐箕を備えて、この唐箕により処理物の搬送下手側の排塵口に向って選別風を供給するとともに、前記排塵口を遮蔽可能で且つ処理物の搬送下手側に変位可能な遮蔽部材を備えてある脱穀装置において、
前記遮蔽部材は上部が支持部材に吊設されているとともに、その下方部分が幅方向でそれぞれ独立して揺動できる複数の板状部で形成してあることを特徴とする脱穀装置。
【請求項２】
前記遮蔽部材を弾性変形自在な板状体で形成し、上部が幅方向に一体に繋がり、その下方部分が幅方向に複数のスリットで左右に分断された板状部に形成してある請求項１記載の脱穀装置。
【請求項３】
前記遮蔽部材の板状部を上端から下端にわたって分断された複数の小幅の板状体で構成してある請求項１記載の脱穀装置。
【請求項４】
前記遮蔽部材を塩化ビニル製の合成樹脂で構成してある請求項１〜３のいずれか一項に記載の脱穀装置。
【請求項５】
前記遮蔽部材を２枚以上の板状体を重ね合わせ可能に構成してある請求項１〜４のいずれか一項に記載の脱穀装置。
【発明の詳細な説明】
【技術分野】
【０００１】
本発明は、選別処理された藁屑を機外に排出する排塵口の開口を制限する遮蔽部材を備えた脱穀装置に関する。
【背景技術】
【０００２】
従来の脱穀装置においては、例えば、特許文献１に開示されているように、排塵口付近に遮蔽部材が設けられていた。遮蔽部材は、唐箕による選別風で機外に放出される藁屑の量が減少したときに、穀粒の反発粒が排塵口から機外に排出されることを防止するために設けられている。
【０００３】
【特許文献１】特開平８−２５２０２４号公報（図３）
【発明の開示】
【発明が解決しようとする課題】
【０００４】
特許文献１に開示されているように、排塵口付近に設けられる遮蔽部材は、穀粒が排塵口から排出される、いわゆる３番ロスを防止することができる。
従来構造の排塵口付近に設けられる遮蔽部材は、幅方向に長い一連の板状体で形成されていたため、藁屑の排出量が少なくなって唐箕の選別風量を減少させると、遮蔽部材は閉じられる方向に動作する。一連の遮蔽部材が閉じ勝手の姿勢となっているときには、唐箕の選別風で藁屑が排出されようとしても遮蔽部材が一連に形成されているため藁屑が遮蔽部材に当たっても遮蔽部材は開放姿勢に揺動されないので、遮蔽部材は藁屑の排出を妨げてしまい、選別効率を良好に保てない不都合があった。
【０００５】
本発明は、３番ロスを防止することができるとともに、軽負荷で唐箕の風力が比較的弱いときであっても藁屑を良好に排出することのできる脱穀装置を実現することを目的としている。
【課題を解決するための手段】
【０００６】
（第１発明の構成）
第１発明は、扱室の下方に揺動選別装置を備え、揺動選別装置の処理物の搬送上手側の下方に唐箕を備えて、この唐箕により処理物の搬送下手側の排塵口に向って選別風を供給するとともに、排塵口を遮蔽可能で且つ処理物の搬送下手側に変位可能な遮蔽部材を備えてある脱穀装置であって、遮蔽部材は上部が支持部材に吊設されているとともに、その下方部分が幅方向でそれぞれ独立して揺動できる複数の板状部で形成してあることを特徴とする。
【０００７】
（作用）
第１発明によると、選別によって機外に排出される藁屑が多い場合には、強い選別風によって、遮蔽部材が後方に大きく退避して、排塵口が大きく開放される。また、機体の旋回時などで選別処理される処理量が少なくなって唐箕から供給される選別風の風量を減少させた場合には、遮蔽部材が閉じ方向に揺動して、排塵口の開口が狭まる。
【０００８】
脱穀処理量が低減してくると、出力を落として唐箕による選別風量を多少低くしたとしても排塵口近くまで移動した籾は、反発（飛び跳ね）して機外に排出されやすくなる傾向にあるが、本発明の第１特徴によると、機外に排出されてようとする籾は、遮蔽部材で受け止められて機外に排出されることが抑制される。他方、遮蔽部材は上部が支持部材に吊設されているとともに、その下方部分が幅方向でそれぞれ独立して揺動できる複数の板状部で形成してあるので、排塵口に向けて放出される藁屑は、遮蔽部材の狭まった下方空間だけでなく、複数の各板状部が揺れ動いたり側部がめくれたりして、広がった板状部間の隙間から機外に排出されるので、遮蔽部材により籾の回収が良好に行うことができ３番ロスを少なくすることができながら、詰まりを発生させることなく藁屑を良好の機外に排出させることができ選別効率を向上させることができた。
【０００９】
（発明の効果）
遮蔽部材の下方部分を幅方向でそれぞれ独立して揺動できる複数の板状部で形成してあることによって、処理量の多い高流量のときに藁屑の排出を妨げることもなく、又、旋回時等の処理量が少ない低流量時には出力（選別風量）を低減させても小幅の各板状部がめくれ上がりやく、又、隣接する各板状部間に隙間が生じやすくなるために、排藁を良好に排出させることができながら、３番ロスを効果的に防止することができるに至った。
【００１０】
（第２発明の構成）
第２発明は、第１発明の構成において、遮蔽部材を弾性変形可能な板状体で形成し、上部が幅方向に一体に繋がり、その下方部分が幅方向に複数のスリットで左右に分断された板状部に形成してある。
【００１１】
（第３発明の構成）
第３発明は、第１発明の構成において、遮蔽部材の板状部を上端から下端にわたって分断された複数の小幅の板状体で構成してある。
【００１２】
（作用効果）
第２発明はスリットにより幅方向に複数形成した板状体により、又、第３発明は上端から下端にわたって分断された幅方向複数の板状体により、第１発明と同様な作用効果奏しえる。
【００１３】
（第４発明の構成）
第４発明は、第１〜第３発明の構成において、遮蔽部材を塩化ビニル製の合成樹脂で構成してある。
【００１４】
（作用効果）
第４発明によると、遮蔽部材を硬質の塩化ビニルで構成することもできるが、軟質の塩化ビニルで構成すれば、柔軟性に富み、スリットのある側部を部分的にめくれ易くなり、風量を下げ、少ない藁屑であってもスリットの間から排出させやくなり、排塵機能が向上させることができる。
【００１５】
（構成）
第５発明は、第１〜第４発明の構成において、遮蔽部材を２枚以上の板状体を重ね合わせ可能に構成してある。
【００１６】
（作用効果）
第５発明によると、例えば比較的重い作物の場合には、２枚以上の板状体を重ね合わせて、板状体が容易にめくり上げられないようにすればよい。これにより、比較的重い作物が板状体を容易にめくり上げて排出されると言うような状態を少なくすることができる。逆に比較的軽い作物（例えば小麦等）の場合には、板状体の重ね合わせる枚数を少なくするか、重ね合わせずに１枚の板状体として、板状体が容易にめくり上げられるようにすればよい。これにより、比較的軽い藁屑が板状体をめくり上げることができずに排出されないと言うような状態を少なくすることができる。
【発明を実施するための最良の形態】
【００１７】
図１に、コンバインに搭載された脱穀装置１を示している。なお、この発明を実施するための最良の形態においては、脱穀装置１をコンバインに搭載した例を示すため、図１における左方が処理物の搬送上手側に相当し、図１における右方が処理物の搬送下手側に相当する。以下の説明においては、処理物の搬送上手側を前方と、処理物の搬送下手側を後方と表示する。
【００１８】
この脱穀装置１は、その上部側に扱室Ａ、中間部側に揺動選別装置Ｂ、下部側に回収装置Ｃを配設している。脱穀装置１には、刈取処理された穀稈をフィードチェーン２で挟持搬送しながら扱処理する扱胴３を扱室Ａに軸架するとともに、扱処理された処理物を漏下させる受網５を扱胴３の下方側に配設している。
【００１９】
揺動選別装置Ｂには、受網５から漏下した処理物を受け止めるグレンパン６、このグレンパン６の後方に順に位置させたチャフシーブ７及びストローラック８、チャフシーブ７の下方に位置するグレンシーブ９を、前後揺動駆動されるシーブケース１６に架設するとともに、グレンパン６の下方側に風量調整可能な唐箕１０を設けている。
【００２０】
揺動選別装置Ｂは、扱室Ａから漏下した処理物を開度調節自在なチャフシーブ７で受け止めて揺動移送しながら粗選別を行う粗選別部３９、この粗選別部３９から漏下した選別処理物を揺動移送しながら穀粒と二番物とに選別する精選別部４０をシーブケース１６に設けて構成してある。チャフシーブ７の終端部後方で処理物の移送方向下手側に延びる藁屑移送用のストローラック８を、唐箕１０の選別風を下方から受けながら作動するように配設して、排藁屑を排塵口２７から機体外方に排出させるよう構成してある。
【００２１】
唐箕１０は、唐箕ファン２３を唐箕ケース２４に内装して扱室Ａの前部下方に配置してある。
【００２２】
ストローラック８は、揺動選別装置Ｂの揺動によって藁屑を揺すりながら唐箕１０による選別風との協働作用で後方の排塵口２７へ搬送しながら、篩い落とされた穀粒が回収される。
【００２３】
回収装置Ｃには、グレンシーブ９の下方にグレンシーブ９からの漏下物（一番物）を回収して横一側に横送りする一番物搬送スクリュ１１を配設するとともに、グレンシーブ９やチャフシーブ７等からの漏下物（二番物）を回収して横一側に横送りする二番物搬送スクリュ１２を配設している。
【００２４】
図１に示すように、扱胴３の後方下方に処理胴１７を備え、扱胴３の後端部から排出される処理物をこの処理胴１７によって解し処理し、塵埃から穀粒を取り出すように構成されている。処理胴１７の後方には排塵ファン４が配設され、この排塵ファン４の上側を覆って上側ファンガイド１４が取り付けられている。排塵ファン４の下側を覆って取り付けられた下側ファンガイド１５の下方に後述する遮蔽部材２０が左右の側壁１８，１８間の略全幅に亘って取り付けられており、排塵口２７付近に位置するシーブケース１６の後端には、後述する遮蔽部材２０の揺動を妨げないように排塵下唇板２８が上下調節自在に配設されている。
【００２５】
図２は先端部に伸縮扱歯３１ａを形成する扱き棒３１の詳細を示す扱胴３の縦断側面図、図３は扱胴３の縦断背面図を示す。
扱歯３２を備えた扱胴３のドラム３０は、その前端壁３０ａと中間壁３０ｂが扱胴回転軸３３に固定されているとともに、後端壁３０ｃが扱室Ａの後壁２６に固定された第１固定軸３５に回転自在に支承されており、扱胴回転軸３３の扱室Ａの前壁２５より前方に突出させた軸部には入力プーリ３４が固定されている。第１固定軸３５には扱胴３の内部で、第１固定軸３５よりも下方位置において、第１固定軸３５からクランク状に固定ブラケット３６と第２固定軸３７を延設し、第２固定軸３７に固定した軸支部材４１に扱胴回転軸３３の後端部を回転自在に支承してある。第２固定軸３７には、２本の扱き棒３１を第２固定軸３７周りに回転自在に支持してあり、扱き棒３１の先端部が下向きの下方に位置するときには、扱き棒３１の先端部（伸縮扱歯３１ａ）が、扱胴３のドラム３０から外方に突出した突出姿勢となり、扱き棒３１が上向きの上方に位置するときには、扱胴３のドラム３０から引っ込んだ非突出姿勢となるように扱き棒３１の長さを設定してある。
【００２６】
扱き棒３１の基部は第２固定軸３７に回転自在に支持され、扱き棒３１の遊端部はドラム３０の外周に扱き棒ガイド孔を開設した扱き棒ガイド体３８にガイドされる状態で保持されている。従って、入力プーリ３４から回転動力を受けると、扱胴回転軸３３を中心に扱胴３が回転し、扱き棒３１はドラム３０の扱き棒ガイド体３８で案内されながら、第２固定軸３７周りに回転し、遊端部の伸縮扱歯３１ａが下向きになるに従ってドラム３０の外方に突出し、伸縮扱歯３１ａが上方に回転移動するに従ってドラム３０内に引っ込み、上端位置付近で図３に図示するように最も引っ込んだ状態となる。このように扱き棒３１の伸縮作動によって伸縮扱歯３１ａは下部では籾を扱ぎ落とし、上端部付近では扱き棒３１が引っ込んだ状態となるため処理物を持ち回らないで、扱胴３の回転に伴って籾付きの処理物を解き放ち脱穀されるので、効率よく脱穀処理を行うことができるようになった。
【００２７】
図４及び図５に示すように、遮蔽部材２０は、左右の側壁１８，１８間に亘って取り付けられた下側ファンガイド１５の下面に板状体からなる遮蔽板２１を取り付けるための支持部材２２を固着し、遮蔽板２１を支持部材２２に幅方向複数箇所でビス止めすることにより吊設してある。
【００２８】
図５に示すように、遮蔽部材２０は、上部を支持部材２２に吊設された遮蔽板２１を備え、遮蔽板２１は、上部が幅方向に一体に繋がり、且つ、その下方部分に幅方向に複数箇所で左右に分断されたスリット１９を形成して構成されている。
遮蔽板２１は、軟質の弾性変形自在な塩化ビニル樹脂によって成形されている。
このように、遮蔽部材２０を軽量な弾性変形自在な樹脂によって成形することによって、唐箕１０から後方の排塵口２７に向って送られてきた選別風の風量に応じて遮蔽部材２０が後方に持ち上がるように揺れ動くよう構成されている。
【００２９】
具体的に説明すると、唐箕１０の風量を最大にした状態では、遮蔽部材２０の支持部材２２に吊設された遮蔽板２１が大きく後方に撓んで、遮蔽板２１の下端部が後方上方に揺動して、排塵下唇板２８との間が大きく開放され、藁屑が機外に排出される。
【００３０】
遮蔽板２１は、上端部を除く下方過半部が上下方向に切断されたスリット１９により、幅方向に複数の小幅の板状部２１ａに形成されているので、唐箕１０による風当たりの強い箇所の板状部２１ａは、その風量に応じて風当たりの弱い箇所よりも後方への撓み量が大きくなり、風量に応じた開口が形成され、風量に応じた開口量で排ワラを機外に排出することができ、従来の切込みスリットのない遮蔽装置に比べて、処理効率がよい。
【００３１】
脱穀処理量が少なくなった軽負荷のときには、出力を緩めて唐箕１０による風量を弱くする。このとき遮蔽部材２０は排塵口２７を塞ぎ勝手に遮蔽するようになり、前方から回収装置Ｃで回収できなかった穀粒を含んだ藁屑が供給されると、遮蔽部材２０にこの穀粒と藁屑が当たって、比重の重い穀粒はシーブケース１６内に落下する。比重が軽い藁屑は、遮蔽部材２０に当たっても、唐箕１０から供給される選別風に乗って遮蔽部材２０とシーブケース１６の間を通って後方に導かれる。このように、低流量時に反発粒が機外に排出されようとしても遮蔽部材２０で排塵口から排出されるのが阻止されシーブケース１６内に導かれるので、排塵口２７から排出される３番ロスを減少させることができる。
【００３２】
［発明の実施の第１別形態］
前述の［発明を実施するための最良の形態］においては、遮蔽板２１を上部が幅方向に一体に繋がった一枚の板状体より構成したものであるが、遮蔽板２１を上端から下端にわたって分断された小幅の板状体（板状部）を幅方向に複数並設することにより構成してもよい。
【００３３】
［発明の実施の第２別形態］
前述の［発明を実施するための最良の形態］においては、遮蔽板２１を弾性変形自在な軟質の塩化ビニル樹脂で構成してあるが、遮蔽板２１を上端から下端にわたって分断された小幅の板状体により構成してある場合は、遮蔽板２１を硬質の塩化ビニル、又はその他弾性変形し難い板状体で構成するとともに、非作業時において各板状体をコイルバネ等の付勢部材で所定角度姿勢に維持するように横軸周りに回動可能に支持し、作業時における藁屑の押圧力に応じて各板状体がそれぞれ独立して横軸周りに回動するように構成してもよい。
【００３４】
［発明の実施の第３別形態］
前述の［発明を実施するための最良の形態］においては、遮蔽部材２０を塩化ビニルの合成樹脂製の材料によって成形した例を示したが、同様の機能を果たすものであれば、薄肉厚の合成ゴム、プラスチック板等を採用してもよい。
【００３５】
［発明の実施の第４別形態］
前述の［発明を実施するための最良の形態］においては、遮蔽板２１にスリット１９を形成してあるが、スリット１９としては、一枚の遮蔽板２１をカッターで単に所定長さ切断するだけでなく、幅の細い隙間を形成するように切断するようにしてもよい。又、第１別形態において、隣接する小幅の板状体片間に小さな隙間を形成する状態で並設してもよい。
【００３６】
［発明の実施の第５別形態］
前述の［発明を実施するための最良の形態］においては、遮蔽部材２０の遮蔽板２１を塩化ビニルの樹脂材で形成した一枚の板状体によって成形した例を示したが、板状体として薄い板状体を２枚重ね、又はそれ以上に多重にした板状体としてもよい。
板状体の重ねる枚数を変えることによって、同じ風量に対する開度を変更することができるので、稲や小麦等の収穫する作物条件によって、例えば、小麦を収穫するときには稲のときよりも板状体の重ね枚数を少なくすることによって、作物条件に適合した開度とすることができるという利点がある。
【００３７】
［発明の実施のその他の形態］
遮蔽板２１を軟質の塩化ビニル等で弾性変形自在に形成した場合おいて、無負荷状態（唐箕による風選別を行っていない状態）で揺動選別装置Ｂが前後揺動駆動された状態では、遮蔽板２１の下端部が、常時（シーブケース１６が最下方位置に位置した状態）、シーブケース１６に装着する部材（例えばストローラック８）と接触して、シーブケース１６の揺動選別動作に追従して揺動するように構成してある。このようにすれば、遮蔽板２１が排塵ファン４に吸引されることが防止できるとともに、比較的軽負荷で揺動風選別をしている作業状態でもシーブケース１６の揺動により隣接する小幅の板状部間に隙間が形成されるようになり、三番ロスを防止しながら良好な選別を行える。
【図面の簡単な説明】
【００３８】
【図１】脱穀装置の縦断側面図
【図２】扱胴の縦断側面図
【図３】扱胴の縦断背面図
【図４】遮蔽部材の構造を示す縦断側面図
【図５】遮蔽部材の構造を示す背面図
【符号の説明】
【００３９】
１０      唐箕
１９      スリット
２０      遮蔽部材
２１ａ    板状部
２２      支持部材
２７      排塵口
Ａ      扱室
Ｂ      揺動選別装置
【図１】
2010045982.tif 000003
【図２】
2010045982.tif 000004
【図３】
2010045982.tif 000005
【図４】
2010045982.tif 000006
【図５】
2010045982.tif 000007